(57)【要約】【課題】傾斜面の土砂崩れを防ぎ止めるために土留箇所に設置して土砂崩れを防ぐと共に、傾斜面の法面箇所の緑化を図り、しかも、工期を短縮する。【解決手段】上壁面２、両側壁面３、及び前方に向けて斜め下向きに傾斜し法面側となる傾斜壁面４をコンクリートで囲んで形成し、法面側となる傾斜壁面４に複数の開口窓部５を形成し、土留箇所に設置後の開口窓部５の内部に土６ａを充填すると共に開口窓部５に植生する。【選択図】　　　　図１
2004036105.tif 000002
【特許請求の範囲】
【請求項１】
傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成したことを特徴とする土留枠コンクリートボックス。
【請求項２】
傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成し、土留箇所に設置後の開口窓部の内部に土を充填すると共に開口窓部に植生することを特徴とする土留枠コンクリートボックス。
【請求項３】
開口窓部が形成された傾斜壁面の外側表面は、疑岩石模様に形成されている請求項１又は請求項２記載の土留枠コンクリートボックス。
【請求項４】
傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面の外側表面を疑岩石模様に形成すると共に疑岩石模様の間に複数の開口窓部を形成したことを特徴とする土留枠コンクリートボックス。
【請求項５】
傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面の外側表面を疑岩石模様に形成すると共に疑岩石模様の間に複数の開口窓部を形成し、土留箇所に設置後の開口窓部の内部に土を充填すると共に開口窓部に植生することを特徴とする土留枠コンクリートボックス。
【請求項６】
各開口窓部は、土留枠コンクリートボックスの内部空間から外側の傾斜壁面の表面側に向けて斜め上向きに形成されている請求項１、請求項２、請求項４、請求項５の何れかに記載の土留枠コンクリートボックス。
【請求項７】
傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面に複数の開口窓部を形成したことを特徴とする土留枠コンクリートボックス。
【請求項８】
傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面に複数の開口窓部を形成し、土留箇所に設置後の開口窓部の内部に土を充填すると共に開口窓部に植生することを特徴とする土留枠コンクリートボックス。
【請求項９】
開口窓部が形成された略垂直壁面の外側表面は、疑岩石模様に形成されている請求項７又は請求項８記載の土留枠コンクリートボックス。
【請求項１０】
傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面の外側表面を疑岩石模様に形成すると共に疑岩石模様の間に複数の開口窓部を形成したことを特徴とする土留枠コンクリートボックス。
【請求項１１】
傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面の外側表面を疑岩石模様に形成すると共に疑岩石模様の間に複数の開口窓部を形成し、土留箇所に設置後の開口窓部の内部に土を充填すると共に開口窓部に植生することを特徴とする土留枠コンクリートボックス。
【請求項１２】
各開口窓部は、土留枠コンクリートボックスの内部空間から外側の略垂直壁面の表面側に向けて斜め上向きに形成されている請求項７、請求項８、請求項１０、請求項１１の何れかに記載の土留枠コンクリートボックス。
【請求項１３】
傾斜面の土砂崩れを防ぎ止めるために設置される土留枠コンクリートボックスの両側壁面には複数の通水孔が形成され、コンクリートボックスの上端及び下端には該コンクリートボックス同士を上下に連結する上下連結部が設けられ、コンクリートボックスの両側壁面側には該コンクリートボックス同士を横方向に連結する横連結部が設けられている請求項１、請求項２、請求項４、請求項５、請求項７、請求項８、請求項１０、請求項１１の何れかに記載の土留枠コンクリートボックス。
【発明の詳細な説明】
【０００１】
【発明の属する技術分野】
この発明は、傾斜面の土砂崩れを防ぎ止めるために土留箇所に設置して土砂崩れを防ぐと共に、傾斜面の法面箇所の緑化を図ることのできる土留枠コンクリートボックスに関するものである。
【０００２】
【従来の技術】
従来、土砂崩れを生じやすい傾斜面などでは雨、地震、風化よる浸食などによって、傾斜面が崩壊する不都合があり、このため、土砂崩れを生じやすい傾斜面の土留箇所にはコンクリートによる法面が構築されて補強が図られている。
【０００３】
【発明が解決しようとする課題】
しかしながら、コンクリートが構築された土留箇所の法面には草木がはえず、このため、土留箇所の緑化が図られず、自然環境の保全にはほど遠かった。また、土留箇所にコンクリートによる法面の構築作業にあっては、現地でのコンクリートの型枠、打設、養生などの作業が必要で、短時間に構築するのが困難であった。
【０００４】
この発明は、上記のような課題に鑑み、その課題を解決すべく創案されたものであって、その目的とするところは、傾斜面の土砂崩れを防ぎ止めるために土留箇所に設置して土砂崩れを防ぐと共に、傾斜面の法面箇所の緑化を図り、しかも、工期を短縮することのできる土留枠コンクリートボックスを提供することにある。
【０００５】
【課題を解決するための手段】
以上の目的を達成するために、請求項１の発明は、傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成した手段よりなるものである。
【０００６】
また、請求項２の発明は、傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面に複数の開口窓部を形成し、土留箇所に設置後の開口窓部の内部に土を充填すると共に開口窓部に植生する手段よりなるものである。
【０００７】
ここで、請求項１、請求項２の好ましい態様として、開口窓部が形成された傾斜壁面の外側表面は、疑岩石模様に形成されている。
【０００８】
また、請求項４の発明は、傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面の外側表面を疑岩石模様に形成すると共に疑岩石模様の間に複数の開口窓部を形成した手段よりなるものである。
【０００９】
また、請求項５の発明は、傾斜面の土砂崩れを防ぎ止めるために土留箇所に設置される土留枠コンクリートボックスを、上壁面、両側壁面、及び前方に向けて斜め下向きに傾斜し法面側となる傾斜壁面をコンクリートで囲んで形成し、法面側となる傾斜壁面の外側表面を疑岩石模様に形成すると共に疑岩石模様の間に複数の開口窓部を形成し、土留箇所に設置後の開口窓部の内部に土を充填すると共に開口窓部に植生する手段よりなるものである。
【００１０】
ここで、請求項１、請求項２、請求項４、請求項５の好ましい態様として、各開口窓部は、土留枠コンクリートボックスの内部空間から外側の傾斜壁面の表面側に向けて斜め上向きに形成されている。また、傾斜面の土砂崩れを防ぎ止めるために設置される土留枠コンクリートボックスの両側壁面には複数の通水孔が形成され、コンクリートボックスの上端及び下端には該コンクリートボックス同士を上下に連結する上下連結部が設けられ、コンクリートボックスの両側壁面側には該コンクリートボックス同士を横方向に連結する横連結部が設けられている。
【００１１】
また、請求項７の発明は、傾斜面の土砂崩れを防ぎ止めるために土留箇所に設置される土留枠コンクリートボックスを、上壁面、両側壁面、及び略垂直な法面側となる傾斜壁面をコンクリートで囲んで形成し、法面側となる略垂直壁面に複数の開口窓部を形成した手段よりなるものである。
【００１２】
また、請求項８の発明は、傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面に複数の開口窓部を形成し、土留箇所に設置後の開口窓部の内部に土を充填すると共に開口窓部に植生する手段よりなるものである。
【００１３】
ここで、請求項７、請求項８の好ましい態様として、開口窓部が形成された略垂直壁面の外側表面は、疑岩石模様に形成されている。
【００１４】
また、請求項９の発明は、傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面の外側表面を疑岩石模様に形成すると共に疑岩石模様の間に複数の開口窓部を形成した手段よりなるものである。
【００１５】
また、請求項１０の発明は、傾斜面の土砂崩れを防ぎ止めるために土留箇所に設置される土留枠コンクリートボックスを、上壁面、両側壁面、及び略垂直な法面側となる略垂直壁面をコンクリートで囲んで形成し、法面側となる略垂直壁面の外側表面を疑岩石模様に形成すると共に疑岩石模様の間に複数の開口窓部を形成し、土留箇所に設置後の開口窓部の内部に土を充填すると共に開口窓部に植生する手段よりなるものである。
【００１６】
ここで、請求項７、請求項８、請求項１０、請求項１１の好ましい態様として、各開口窓部は、土留枠コンクリートボックスの内部空間から外側の略垂直壁面の表面側に向けて斜め上向きに形成されている。また、傾斜面の土砂崩れを防ぎ止めるために設置される土留枠コンクリートボックスの両側壁面には複数の通水孔が形成され、コンクリートボックスの上端及び下端には該コンクリートボックス同士を上下に連結する上下連結部が設けられ、コンクリートボックスの両側壁面側には該コンクリートボックス同士を横方向に連結する横連結部が設けられている。
【００１７】
【発明の実施の形態】
以下、図面に記載の発明の実施の形態に基づいて、この発明をより具体的に説明する。
【００１８】
〔実施の形態−１〕
ここで、図１は土留枠コンクリートボックスの斜視図、図２は土留枠コンクリートボックスの後方側から見た斜視図、図３は土留枠コンクリートボックスの断面図、図４は土留枠コンクリートボックスを土留箇所に設置したときの斜視図、図５は土留枠コンクリートボックスを土留箇所に設置したときの断面図である。
【００１９】
図において、土留枠コンクリートボックス１は、土砂崩れを生じやすい傾斜面などの土留箇所に設置して、土砂崩れを防ぐと共に、傾斜面の法面箇所の緑化を図り、しかも、工期を短縮することができる特徴を有している。
【００２０】
土留枠コンクリートボックス１は、上壁面２、両側壁面３、及び前方に向けて斜め下向きに傾斜し法面側となる傾斜壁面４をコンクリートで囲んで形成され、法面側となる傾斜壁面４に複数の開口窓部５が形成された構造からなっており、工場で製作されて現場に搬送され、現場の土留箇所に設置される。工場で製作されるために、現場の土留箇所で構築される場合に比べて工期を短縮できる利点がある。
【００２１】
土留枠コンクリートボックス１は、上壁面２、両側壁面３、法面側となる傾斜壁面４がコンクリートで形成され、上壁面２、両側壁面３及び傾斜壁面４を形成するコンクリートの内部には例えば鉄筋が配筋されていて、鉄筋により補強されている。
【００２２】
また、土留枠コンクリートボックス１は、法面側となる傾斜壁面４の反対側となる背面側１ｂ及び底面側１ｃは開口され、上壁面２、両側壁面３及び傾斜壁面４の四面側で囲まれた内部は空間１ａになっていて、内部空間１ａには後記の中詰め用の土石類６、植生用の土６ａなどが充填される。
【００２３】
土留枠コンクリートボックス１の上部側を構成する上壁面２は、平面から見て長方形の形状をしており、長方形の二つの長辺のうちその一辺側に法面側となる傾斜壁面４に連なっており、又これと向かい合う他辺側は開口する背面側１ｂに連なっている。上壁面２の長方形の二つの両短辺側はそれぞれ側壁面３に連なっている。上壁面２には上部段差２ａが形成され、上部段差２ａの両側表面は水平面に形成されている。
【００２４】
上部段差２ａは上壁面２の長手方向つまり両側壁面３側に向けて形成され、又上部段差２ａは傾斜壁面４に連なる側が高く、背面側１ｂに連なる側が低くなっている。上壁面２の上部段差２ａは、上壁面２の上に別体の土留枠コンクリートボックス１を重ねて設置する場合に、上側の土留枠コンクリートボックス１の傾斜壁面４の下面に形成された後記の下部段差４ａと係合して、上側の土留枠コンクリートボックス１が傾斜壁面４側にずれるのを防ぐ機能を果たす。
【００２５】
土留枠コンクリートボックス１の両側部側を構成する両側壁面３は、真向かいから見て、上壁面２側に連なる上辺と開口する底面側１ｃに連なる下辺が上下に略平行に形成され、法面側となる傾斜壁面４に連なる一側辺が下向きに傾斜拡幅する傾斜辺に形成され、開口する背面側１ｂに連なる他側辺が上下に垂直に近い傾斜辺に形成されている。また、両側壁面３の表面は略垂直面に形成されていて、両側に別体の土留枠コンクリートボックス１を設置する場合に、略隙間なく設置できるようになっている。
【００２６】
両側壁面３の表面は、周縁に比べてその内側の厚みが小さく形成されていて、その厚みの小さい内側には、必要に応じて通水孔３ａが適宜間隔で複数形成されていて、土留枠コンクリートボックス１の内部の水はけが図られている。また、両側壁面３に通水孔３ａを形成するのに代えて、両側壁面３が例えばポーラスコンクリートのような透水性コンクリートで形成されることもある。
【００２７】
土留枠コンクリートボックス１の正面部側を構成する傾斜壁面４は、真向かいから見て、方形状の形状を有し、左右の各側壁面３にそれぞれ連なる両側辺は垂直に形成され、上壁面２に連なる上辺側に対して底面側１ｃに連なる下辺側が前方側つまり手前に向かって下向きに傾斜する傾斜面に形成されている。この傾斜壁面４は設置時には法面側となる。
【００２８】
傾斜壁面４の下端の下面には下部段差４ａが形成されている。下部段差４ａは傾斜壁面４の長手方向つまり両側壁面３側に向けて形成され、又下部段差４ａは傾斜壁面４の表面に連なる側が高く、傾斜壁面４の内側つまり内部空間１ａに連なる側が低くなっている。傾斜壁面４の下面の下部段差４ａは、下側の土留枠コンクリートボックス１の上に更に土留枠コンクリートボックス１を重ねて設置する場合に、下側の土留枠コンクリートボックス１の上壁面２に形成された上記上部段差２ａと係合して、上側の土留枠コンクリートボックス１が傾斜壁面４側にずれるのを防ぐ機能を果たす。
【００２９】
土留箇所設置時に法面側となる傾斜壁面４には、複数の開口窓部５が形成されている。開口窓部５を通じて傾斜壁面４の表面側は土留枠コンクリートボックス１の内部空間１ａと連通する。開口窓部５は例えば横長な長方形の形状をしており、上下方向に間隔をあけて複数形成されている。
【００３０】
土留枠コンクリートボックス１の土留箇所設置時に法面側になる各開口窓部５は、内部空間１ａから外側の傾斜壁面４の表面側に向けて斜め上向きに形成されていて、内部空間１ａに充填する土石類６や土６ａが土圧によって各開口窓部５から外側に押し出されるの防ぐ構造になっている。
【００３１】
即ち、各開口窓部５の上下に横設された仕切梁は、内部空間１ａから外側の傾斜壁面４の表面側に向けて斜め上向きに形成された土砂押出防止傾斜梁５ａで構成されている。各開口窓部５の上下の仕切梁をそれぞれ構成する土砂押出防止傾斜梁５ａは、開口窓部５の下側に位置する下部の土砂押出防止傾斜梁５ａの傾斜上端がその上側に位置する上部の土砂押出防止傾斜梁５ａの傾斜下端より高くなるように形成されている。
【００３２】
外側に向かって斜め上向きに形成された開口窓部５には、花、木、草などの植物ａが植生される。このため、開口窓部５に連なる土留枠コンクリートボックス１の内部空間１ａには、植物ａが植生し易いような土６ａが充填されている。また、内部空間１ａには中詰め材として土石類６が充填されている。土石類６には、例えば客土、礫質土砂、自然石、砕石、栗石、割石、小石、土砂などが使用される。
【００３３】
また、開口窓部５が形成された傾斜壁面４の外側表面つまり開口窓部５の周囲の外側表面４ｂは、疑岩石模様のデザイン仕上げに形成されている。この場合、外側表面４ｂのコンクリート自体を疑岩石模様のデザイン仕上げに加工する場合と、疑岩石模様のデザイン仕上げに加工された表面化粧コンクリート板を外側表面４ｂに取り付ける場合とがある。
【００３４】
土留枠コンクリートボックス１の開口する背面側１ｂ、底面側１ｃには、背面側１ｂ及び底面側１ｃが開口することによって土留枠コンクリートボックス１の強度が低下するのを防ぐため及び転倒防止のために、補助連結横梁１ｄが必要に応じて取り付けられる。
【００３５】
補助連結横梁１ｄは例えば開口する背面側１ｂの下端側で且つ底面側１ｃの後端側となる位置に横設されている。補助連結横梁１ｄはその両端が左右の側面３の背面側１ｂと底面側１ｃとの交点側にそれぞれ連結されて横設されている。補助連結横梁１ｄには例えば内部に鉄筋が配筋されたコンクリートが使用されている。
【００３６】
さらに、土留枠コンクリートボックス１の内部空間１ａ側となる傾斜壁面４の内面側の中央には、上下に中間縦梁１ｅが形成されている。中間縦梁１ｅは横長な複数の開口窓部５が形成されて強度が低下している傾斜壁面４を補強するものである。中間縦梁１ｅには例えば内部に鉄筋が配筋されたコンクリートが使用されている。
【００３７】
土留枠コンクリートボックス１には、該土留枠コンクリートボックス１同士を上下に重ねて設置されて使用される場合もあるため、土留枠コンクリートボックス１の上端側と下端側には上下連結部７が必要に応じて設けられている。
【００３８】
上下連結部７は上下の土留枠コンクリートボックス１同士を連結するための例えば連結孔からなる。例えば連結孔からなる上下連結部７は、上壁面２の上部段差２ａの低い側に長手方向に適当間隔をあけて複数形成され、又傾斜壁面４の下面の下部段差４ａの低い側に長手方向に適当間隔をあけて複数形成され、上下の各上下連結部７の連結孔に図示しない連結ボルトを挿入してボルトで締めることによって、上下の土留枠コンクリートボックス１同士を連結するようになっている。
【００３９】
土留枠コンクリートボックス１には、該土留枠コンクリートボックス１同士を横方向に連接して設置されて使用される場合もあるため、土留枠コンクリートボックス１の左右の両側壁面３の下部側及び傾斜壁面４の左右下部側には横連結部７ａが必要に応じて設けられている。
【００４０】
横連結部７ａは横方向の土留枠コンクリートボックス１同士を連結するための例えば連結孔からなる。例えば連結孔からなる横連結部７ａは、左右の両側壁面３の下部側及び傾斜壁面４の左右下部側に形成され、左右の各横連結部７ａの連結孔に図示しない連結ボルトを挿入してボルトで締めることによって、横方向の土留枠コンクリートボックス１同士を連結するようになっている。
【００４１】
土留枠コンクリートボックス１には、該土留枠コンクリートボックス１を後方の地盤に例えばメッセンジャワイヤーで支持する場合もあるため、土留枠コンクリートボックス１の左右の両側壁面３の上部側には支持連結部７ｂが必要に応じて設けられている。
【００４２】
支持連結部７ｂは各土留枠コンクリートボックス１を後方の地盤に例えばメッセンジャワイヤーで支持する際にそのメッセンジャワイヤーを連結するための例えば連結孔からなる。例えば連結孔からなる支持連結部７ｂは、左右の両側壁面３の上部側の上下に水平向きの孔に形成され、左右の各支持連結部７ｂの連結孔に例えばメッセンジャワイヤーの先端側を挿入してナットで締めることによって、各土留枠コンクリートボックス１を後方の地盤に支持するようになっている。
【００４３】
次に、上記発明の実施の形態の構成に基づく土留枠コンクリートボックスの設置作業について以下説明する。
土留箇所の基礎ｂの施工後、予め工場などで製作された土留枠コンクリートボックス１を現地まで輸送し、クレーンなどを使用して土留箇所の基礎ｂの上に据え付ける。
【００４４】
土留枠コンクリートボックス１を据え付けた後、横方向に連接された別体の土留枠コンクリートボックス１同士を連結する。この連結は土留枠コンクリートボックス１の左右の側壁面３側に形成された横連結部７ａを利用して行う。また、必要に応じて、後方の地盤に例えばメッセンジャワイヤーなどを使って土留枠コンクリートボックス１に支持する。
【００４５】
さらに、土留枠コンクリートボックス１を上下に重ねる場合には、上下の土留枠コンクリートボックス１同士を連結する。この連結は土留枠コンクリートボックス１の上下に形成された上下連結部７を利用して行う。
【００４６】
その後、土留枠コンクリートボックス１の内部空間１ａに、中詰め用の土石類６を充填すると共に、開口窓部５に連通する側には植生用の土６ａを充填する。各開口窓部５は上下の土砂押出防止傾斜梁５ａによって斜め上向きに形成されているために、充填した土６ａが土圧によって開口窓部５から外側に押し出されるのが防止される。
【００４７】
そして、土留枠コンクリートボックス１の開口窓部５に植物ａを植生する。開口窓部５の内部には植生用の土６ａが充填されているために、この土６ａによって植物ａは生育することができ、これによって、土留箇所の法面の緑化が図られる。
【００４８】
また、開口窓部５の周囲の傾斜壁面４の外側表面４ｂは疑岩石模様に形成されているために、開口窓部５で植生される植物はあたかも岩石の間から生えているように視認され、土留箇所の法面の緑化の美観が損なわれることがない。
【００４９】
〔実施の形態−２〕
ここで、図６は土留枠コンクリートボックスの斜視図、図７は土留枠コンクリートボックスの後方側から見た斜視図、図８は土留枠コンクリートボックスの断面図、図９は土留枠コンクリートボックスの分解斜視図、図１０は土留枠コンクリートボックスを土留箇所に設置したときの斜視図、図１１は土留枠コンクリートボックスを土留箇所に設置したときの断面図である。
【００５０】
図において、土留枠コンクリートボックス１１は、土砂崩れを生じやすい傾斜面などの土留箇所に設置して、土砂崩れを防ぐと共に、傾斜面の法面箇所の緑化を図り、しかも、工期を短縮することができる特徴を有している。
【００５１】
土留枠コンクリートボックス１１は、上壁面１２、両側壁面１３、及び前方に向けて斜め下向きに傾斜し法面側となる傾斜壁面１４をコンクリートで囲んで形成され、法面側となる傾斜壁面１４の外側表面１４ｂは疑岩石模様に形成されていると共に疑岩石模様の間に複数の開口窓部１５が形成された構造からなっており、工場で製作されて現場に搬送され、現場の土留箇所に設置される。工場で製作されるために、現場の土留箇所で構築される場合に比べて工期を短縮できる利点がある。
【００５２】
土留枠コンクリートボックス１１は、上壁面１２、両側壁面１３、法面側となる傾斜壁面１４がコンクリートで形成され、上壁面１２、両側壁面１３及び傾斜壁面１４を形成するコンクリートの内部には例えば鉄筋が配筋されていて、鉄筋により補強されている。
【００５３】
また、土留枠コンクリートボックス１１は、法面側となる傾斜壁面１４の反対側となる背面側１１ｂ及び底面側１１ｃは開口され、上壁面１２、両側壁面１３及び傾斜壁面１４の四面側で囲まれた内部は空間１１ａになっていて、内部空間１１ａには後記の中詰め用の土石類１６、植生用の土１６ａなどが充填される。
【００５４】
土留枠コンクリートボックス１１の上部側を構成する上壁面１２は、平面から見て長方形の形状をしており、長方形の二つの長辺のうちその一辺側に法面側となる傾斜壁面１４に連なっており、又これと向かい合う他辺側は開口する背面側１１ｂに連なっている。上壁面１２の長方形の二つの両短辺側はそれぞれ側壁面１３に連なっている。上壁面１２には上部段差１２ａが形成され、上部段差１２ａの両側表面は水平面に形成されている。
【００５５】
上部段差１２ａは上壁面１２の長手方向つまり両側壁面１３側に向けて形成され、又上部段差１２ａは傾斜壁面１４に連なる側が高く、背面側１１ｂに連なる側が低くなっている。上壁面１２の上部段差１２ａは、上壁面１２の上に別体の土留枠コンクリートボックス１１を重ねて設置する場合に、上側の土留枠コンクリートボックス１１の傾斜壁面１４の下面に形成された後記の下部段差１４ａと係合して、上側の土留枠コンクリートボックス１１が傾斜壁面１４側にずれるのを防ぐ機能を果たす。
【００５６】
土留枠コンクリートボックス１１の両側部側を構成する両側壁面１３は、真向かいから見て、上壁面１２側に連なる上辺と開口する底面側１１ｃに連なる下辺が上下に略平行に形成され、法面側となる傾斜壁面１４に連なる一側辺が下向きに傾斜拡幅する傾斜辺に形成され、開口する背面側１１ｂに連なる他側辺が上下に垂直に近い傾斜辺に形成されている。また、両側壁面１３の表面は略垂直面に形成されていて、両側に別体の土留枠コンクリートボックス１１を設置する場合に、略隙間なく設置できるようになっている。
【００５７】
両側壁面１３の表面は、周縁に比べてその内側の厚みが小さく形成されていて、その厚みの小さい内側には、必要に応じて通水孔１３ａが適宜間隔で複数形成されていて、土留枠コンクリートボックス１１の内部の水はけが図られている。また、両側壁面１３に通水孔１３ａを形成するのに代えて、両側壁面１３が例えばポーラスコンクリートのような透水性コンクリートで形成されることもある。
【００５８】
土留枠コンクリートボックス１１の正面部側を構成する傾斜壁面１４は、真向かいから見て、方形状の形状を有し、左右の各側壁面１３にそれぞれ連なる両側辺は垂直に形成され、上壁面１２に連なる上辺側に対して底面側１１ｃに連なる下辺側が前方側つまり手前に向かって下向きに傾斜する傾斜面に形成されている。この傾斜壁面１４は設置時には法面側となる。
【００５９】
傾斜壁面１４の下端の下面には下部段差１４ａが形成されている。下部段差１４ａは傾斜壁面１４の長手方向つまり両側壁面１３側に向けて形成され、又下部段差１４ａは傾斜壁面１４の表面に連なる側が高く、傾斜壁面１４の内側つまり内部空間１１ａに連なる側が低くなっている。傾斜壁面１４の下面の下部段差１４ａは、下側の土留枠コンクリートボックス１１の上に更に土留枠コンクリートボックス１１を重ねて設置する場合に、下側の土留枠コンクリートボックス１１の上壁面１２に形成された上記上部段差１２ａと係合して、上側の土留枠コンクリートボックス１１が傾斜壁面１４側にずれるのを防ぐ機能を果たす。
【００６０】
土留箇所設置時に法面側となる傾斜壁面１４の外側表面１４ｂは疑岩石模様に形成されている。この場合、傾斜壁面１４の外側表面１４ｂのコンクリート自体を疑岩石模様のデザイン仕上げに加工する場合と、疑岩石模様のデザイン仕上げに加工された表面疑岩石模様化粧コンクリート板１４ｃを傾斜壁面１４の箇所に取り付ける場合とがある。
【００６１】
特に、土留枠コンクリートボックス１１が大型で重量が重たく、クレーンで容易に吊り上げることができない場合には、表面疑岩石模様化粧コンクリート板１４ｃは別体となり、別体の表面疑岩石模様化粧コンクリート板１４ｃを傾斜壁面１４の箇所に取り付ける構造になる。
【００６２】
この場合には、表面疑岩石模様化粧コンクリート板１４ｃが取り付けられる傾斜壁面１４となる箇所の内部側には縦横に取付梁１４ｄが形成されていて、取付梁１４ｄにボルトナットなどの締結具を利用して表面疑岩石模様化粧コンクリート板１４ｃを取り付ける構造になっている。
【００６３】
疑岩石模様の外側表面１４ｂ或いは表面疑岩石模様化粧コンクリート板１４ｃには、複数の開口窓部１５が形成されている。開口窓部１５を通じて傾斜壁面４の表面側は土留枠コンクリートボックス１の内部空間１１ａと連通する。開口窓部１５は例えば岩石同士の隙間にできる自然な穴のような形状をしており、上下左右に間隔をあけて複数形成されている。
【００６４】
土留枠コンクリートボックス１の土留箇所設置時に法面側になる各開口窓部１５は、内部空間１１ａから外側の傾斜壁面１４の外側表面１４ｂ側に向けて斜め上向きに形成されていて、内部空間１１ａに充填する土石類１６や土１６ａが土圧によって各開口窓部１５から外側に押し出されるの防ぐ構造になっている。
【００６５】
即ち、各開口窓部１５は、土砂が押し出される場合の出口となる外側表面１４ｂに位置する開口窓上端が土砂が押し出される場合の入口となる内部空間１１ａに位置する開口窓下端より高くなるように形成されている。
【００６６】
外側に向かって斜め上向きに形成された開口窓部１５には、花、木、草などの植物ａが植生される。このため、開口窓部１５に連なる土留枠コンクリートボックス１１の内部空間１１ａには、植物ａが植生し易いような土１６ａが充填されている。また、内部空間１１ａには中詰め材として土石類１６が充填されている。土石類１６には、例えば客土、礫質土砂、自然石、砕石、栗石、割石、小石、土砂などが使用される。
【００６７】
土留枠コンクリートボックス１１の開口する背面側１１ｂ、底面側１１ｃには、背面側１１ｂ及び底面側１１ｃが開口することによって土留枠コンクリートボックス１１の強度が低下するのを防ぐため及び転倒防止のために、補助連結横梁１１ｄが必要に応じて取り付けられる。
【００６８】
補助連結横梁１１ｄは例えば開口する背面側１１ｂの下端側で且つ底面側１１ｃの後端側となる位置に横設されている。補助連結横梁１１ｄはその両端が左右の側面１３の背面側１１ｂと底面側１１ｃとの交点側にそれぞれ連結されて横設されている。補助連結横梁１１ｄには例えば内部に鉄筋が配筋されたコンクリートが使用されている。
【００６９】
土留枠コンクリートボックス１１には、該土留枠コンクリートボックス１１同士を上下に重ねて設置されて使用される場合もあるため、土留枠コンクリートボックス１１の上端側と下端側には上下連結部１７が必要に応じて設けられている。
【００７０】
上下連結部１７は上下の土留枠コンクリートボックス１１同士を連結するための例えば連結孔からなる。例えば連結孔からなる上下連結部１７は、上壁面１２の上部段差１２ａの低い側に長手方向に適当間隔をあけて複数形成され、又傾斜壁面１４の下面の下部段差１４ａの低い側に長手方向に適当間隔をあけて複数形成され、上下の各上下連結部１７の連結孔に図示しない連結ボルトを挿入してボルトで締めることによって、上下の土留枠コンクリートボックス１１同士を連結するようになっている。
【００７１】
土留枠コンクリートボックス１１には、該土留枠コンクリートボックス１１同士を横方向に連接して設置されて使用される場合もあるため、土留枠コンクリートボックス１１の左右の両側壁面１３の下部側及び傾斜壁面１４の左右下部側には横連結部１７ａが必要に応じて設けられている。
【００７２】
横連結部１７ａは横方向の土留枠コンクリートボックス１１同士を連結するための例えば連結孔からなる。例えば連結孔からなる横連結部１７ａは、左右の両側壁面１３の下部側及び傾斜壁面１４の左右下部側に形成され、左右の各横連結部１７ａの連結孔に図示しない連結ボルトを挿入してボルトで締めることによって、横方向の土留枠コンクリートボックス１１同士を連結するようになっている。
【００７３】
土留枠コンクリートボックス１１には、該土留枠コンクリートボックス１１を後方の地盤に例えばメッセンジャワイヤーで支持する場合もあるため、土留枠コンクリートボックス１１の左右の両側壁面１３の上部側には支持連結部１７ｂが必要に応じて設けられている。
【００７４】
支持連結部１７ｂは各土留枠コンクリートボックス１１を後方の地盤に例えばメッセンジャワイヤーで支持する際にそのメッセンジャワイヤーを連結するための例えば連結孔からなる。例えば連結孔からなる支持連結部１７ｂは、左右の両側壁面１３の上部側の上下に水平向きの孔に形成され、左右の各支持連結部１７ｂの連結孔に例えばメッセンジャワイヤーの先端側を挿入してナットで締めることによって、各土留枠コンクリートボックス１１を後方の地盤に支持するようになっている。
【００７５】
次に、上記発明の実施の形態の構成に基づく土留枠コンクリートボックスの設置作業について以下説明する。
土留箇所の基礎ｂの施工後、予め工場などで製作された土留枠コンクリートボックス１１を現地まで輸送し、クレーンなどを使用して土留箇所の基礎ｂの上に据え付ける。
【００７６】
土留枠コンクリートボックス１１を据え付けた後、横方向に連接された別体の土留枠コンクリートボックス１１同士を連結する。この連結は土留枠コンクリートボックス１１の左右の側壁面１３側に形成された横連結部１７ａを利用して行う。また、必要に応じて、後方の地盤に例えばメッセンジャワイヤーなどを使って土留枠コンクリートボックス１１に支持する。
【００７７】
さらに、土留枠コンクリートボックス１１を上下に重ねる場合には、上下の土留枠コンクリートボックス１１同士を連結する。この連結は土留枠コンクリートボックス１１の上下に形成された上下連結部１７を利用して行う。
【００７８】
この場合において、傾斜壁面１４が別体の表面疑岩石模様化粧コンクリート板１４ｃで構成されるときには、傾斜壁面１４の箇所に形成されている取付梁１４ｄの表面に表面疑岩石模様化粧コンクリート板１４ｃを取り付け、ボルトナットなどの締結具を用いて表面疑岩石模様化粧コンクリート板１４ｃを傾斜壁面１４の箇所に取り付ける。
【００７９】
その後、土留枠コンクリートボックス１１の内部空間１１ａに、中詰め用の土石類１６を充填すると共に、開口窓部１５に連通する側には植生用の土１６ａを充填する。各開口窓部１５は斜め上向きに形成されているために、充填した土１６ａが土圧によって開口窓部１５から外側に押し出されるのが防止される。
【００８０】
そして、土留枠コンクリートボックス１１の開口窓部１５に植物ａを植生する。開口窓部１５の内部には植生用の土１６ａが充填されているために、この土１６ａによって植物ａは生育することができ、これによって、土留箇所の法面の緑化が図られる。
【００８１】
また、開口窓部１５の周囲の傾斜壁面１４の外側表面１４ｂは疑岩石模様に形成されているために、開口窓部１５で植生される植物はあたかも岩石の間から生えているように視認され、土留箇所の法面の緑化の美観が損なわれることがない。
【００８２】
〔実施の形態−３〕
ここで、図１２は土留枠コンクリートボックスの斜視図、図１３は土留枠コンクリートボックスの後方側から見た斜視図、図１４は土留枠コンクリートボックスの断面図、図１５は土留枠コンクリートボックスを土留箇所に設置したときの斜視図、図１６は土留枠コンクリートボックスを土留箇所に設置したときの断面図である。
【００８３】
図において、土留枠コンクリートボックス２１は、土砂崩れを生じやすい傾斜面などの土留箇所に設置して、土砂崩れを防ぐと共に、傾斜面の法面箇所の緑化を図り、しかも、工期を短縮することができる特徴を有している。
【００８４】
土留枠コンクリートボックス２１は、上壁面２２、両側壁面２３、及び略垂直な法面側となる略垂直壁面２４をコンクリートで囲んで形成され、法面側となる略垂直壁面２４に複数の開口窓部２５が形成された構造からなっており、工場で製作されて現場に搬送され、現場の土留箇所に設置される。工場で製作されるために、現場の土留箇所で構築される場合に比べて工期を短縮できる利点がある。
【００８５】
土留枠コンクリートボックス２１は、上壁面２２、両側壁面２３、法面側となる略垂直壁面２４がコンクリートで形成され、上壁面２２、両側壁面２３及び略垂直壁面２４を形成するコンクリートの内部には例えば鉄筋が配筋されていて、鉄筋により補強されている。
【００８６】
また、土留枠コンクリートボックス２１は、法面側となる略垂直壁面２４の反対側となる背面側２１ｂ及び底面側２１ｃは開口され、上壁面２２、両側壁面２３及び略垂直壁面２４の四面側で囲まれた内部は空間２１ａになっていて、内部空間２１ａには後記の中詰め用の土石類２６、植生用の土２６ａなどが充填される。
【００８７】
土留枠コンクリートボックス２１の上部側を構成する上壁面２２は、平面から見て長方形の形状をしており、長方形の二つの長辺のうちその一辺側に法面側となる略垂直壁面２４に連なっており、又これと向かい合う他辺側は開口する背面側２１ｂに連なっている。上壁面２２の長方形の二つの両短辺側はそれぞれ側壁面２３に連なっている。上壁面２２には上部段差２２ａが形成され、上部段差２２ａの両側表面は水平面に形成されている。
【００８８】
上部段差２２ａは上壁面２２の長手方向つまり両側壁面２３側に向けて形成され、又上部段差２２ａは略垂直壁面２４に連なる側が高く、背面側２１ｂに連なる側が低くなっている。上壁面２２の上部段差２２ａは、上壁面２２の上に別体の土留枠コンクリートボックス２１を重ねて設置する場合に、上側の土留枠コンクリートボックス２１の略垂直壁面２４の下面に形成された後記の下部段差２４ａと係合して、上側の土留枠コンクリートボックス２１が略垂直壁面２４側にずれるのを防ぐ機能を果たす。
【００８９】
土留枠コンクリートボックス２１の両側部側を構成する両側壁面２３は、真向かいから見て、上壁面２２側に連なる上辺と開口する底面側２１ｃに連なる下辺が上下に略平行に形成され、法面側となる略垂直壁面２４に連なる一側辺が略垂直辺に形成され、開口する背面側２１ｂに連なる他側辺が下向きに傾斜拡幅する傾斜辺に形成されている。また、両側壁面２３の表面は略垂直面に形成されていて、両側に別体の土留枠コンクリートボックス２１を設置する場合に、略隙間なく設置できるようになっている。
【００９０】
両側壁面２３の表面は、周縁に比べてその内側の厚みが小さく形成されていて、その厚みの小さい内側には、必要に応じて通水孔２３ａが適宜間隔で複数形成されていて、土留枠コンクリートボックス２１の内部の水はけが図られている。また、両側壁面２３に通水孔２３ａを形成するのに代えて、両側壁面２３が例えばポーラスコンクリートのような透水性コンクリートで形成されることもある。
【００９１】
土留枠コンクリートボックス２１の正面部側を構成する略垂直壁面２４は、真向かいから見て、方形状の形状を有し、左右の各側壁面２３にそれぞれ連なる両側辺は垂直に形成され、又その表面が略垂直面に形成されている。この略垂直壁面２４は設置時には法面側となる。
【００９２】
略垂直壁面２４の下端の下面には下部段差２４ａが形成されている。下部段差２４ａは略垂直壁面２４の長手方向つまり両側壁面２３側に向けて形成され、又下部段差２４ａは略垂直壁面２４の表面に連なる側が高く、略垂直壁面２４の内側つまり内部空間２１ａに連なる側が低くなっている。略垂直壁面２４の下面の下部段差２４ａは、下側の土留枠コンクリートボックス２１の上に更に土留枠コンクリートボックス２１を重ねて設置する場合に、下側の土留枠コンクリートボックス２１の上壁面２２に形成された上記上部段差２２ａと係合して、上側の土留枠コンクリートボックス２１が略垂直壁面２４側にずれるのを防ぐ機能を果たす。
【００９３】
土留箇所設置時に法面側となる略垂直壁面２４には、複数の開口窓部２５が形成されている。開口窓部２５を通じて略垂直壁面２４の表面側は土留枠コンクリートボックス２１の内部空間２１ａと連通する。開口窓部２５は例えば横長な長方形の形状をしており、上下方向に間隔をあけて複数形成されている。
【００９４】
土留枠コンクリートボックス２１の土留箇所設置時に法面側になる各開口窓部２５は、内部空間２１ａから外側の略垂直壁面２４の表面側に向けて斜め上向きに形成されていて、内部空間２１ａに充填する土石類２６や土２６ａが土圧によって各開口窓部２５から外側に押し出されるの防ぐ構造になっている。
【００９５】
即ち、各開口窓部２５の上下に横設された仕切梁は、内部空間２１ａから外側の略垂直壁面２４の表面側に向けて斜め上向きに形成された土砂押出防止傾斜梁２５ａで構成されている。各開口窓部２５の上下の仕切梁をそれぞれ構成する土砂押出防止傾斜梁２５ａは、開口窓部２５の下側に位置する下部の土砂押出防止傾斜梁２５ａの傾斜上端がその上側に位置する上部の土砂押出防止傾斜梁２５ａの傾斜下端より高くなるように形成されている。
【００９６】
外側に向かって斜め上向きに形成された開口窓部２５には、花、木、草などの植物ａが植生される。このため、開口窓部２５に連なる土留枠コンクリートボックス２１の内部空間２１ａには、植物ａが植生し易いような土２６ａが充填されている。また、内部空間２１ａには中詰め材として土石類２６が充填されている。土石類２６には、例えば客土、礫質土砂、自然石、砕石、栗石、割石、小石、土砂などが使用される。
【００９７】
また、開口窓部２５が形成された略垂直壁面２４の外側表面つまり開口窓部２５の周囲の外側表面２４ｂは、疑岩石模様のデザイン仕上げに形成されている。この場合、外側表面２４ｂのコンクリート自体を疑岩石模様のデザイン仕上げに加工する場合と、疑岩石模様のデザイン仕上げに加工された表面化粧コンクリート板を外側表面２４ｂに取り付ける場合とがある。
【００９８】
土留枠コンクリートボックス２１の開口する背面側２１ｂ、底面側２１ｃには、背面側２１ｂ及び底面側２１ｃが開口することによって土留枠コンクリートボックス２１の強度が低下するのを防ぐため及び転倒防止のために、補助連結横梁２１ｄが必要に応じて取り付けられる。
【００９９】
補助連結横梁２１ｄは例えば開口する背面側２１ｂの下端側で且つ底面側２１ｃの後端側となる位置に横設されている。補助連結横梁２１ｄはその両端が左右の側面２３の背面側２１ｂと底面側２１ｃとの交点側にそれぞれ連結されて横設されている。補助連結横梁２１ｄには例えば内部に鉄筋が配筋されたコンクリートが使用されている。
【０１００】
さらに、土留枠コンクリートボックス２１の内部空間２１ａ側となる略垂直壁面２４の内面側の中央には、上下に中間縦梁２１ｅが形成されている。中間縦梁２１ｅは横長な複数の開口窓部２５が形成されて強度が低下している略垂直壁面２４を補強するものである。中間縦梁２１ｅには例えば内部に鉄筋が配筋されたコンクリートが使用されている。
【０１０１】
土留枠コンクリートボックス２１には、該土留枠コンクリートボックス２１同士を上下に重ねて設置されて使用される場合もあるため、土留枠コンクリートボックス２１の上端側と下端側には上下連結部２７が必要に応じて設けられている。
【０１０２】
上下連結部２７は上下の土留枠コンクリートボックス２１同士を連結するための例えば連結孔からなる。例えば連結孔からなる上下連結部２７は、上壁面２２の上部段差２２ａの低い側に長手方向に適当間隔をあけて複数形成され、又略垂直壁面２４の下面の下部段差２４ａの低い側に長手方向に適当間隔をあけて複数形成され、上下の各上下連結部２７の連結孔に図示しない連結ボルトを挿入してボルトで締めることによって、上下の土留枠コンクリートボックス２１同士を連結するようになっている。
【０１０３】
土留枠コンクリートボックス２１には、該土留枠コンクリートボックス２１同士を横方向に連接して設置されて使用される場合もあるため、土留枠コンクリートボックス２１の左右の両側壁面２３の下部側及び略垂直壁面２４の左右下部側には横連結部２７ａが必要に応じて設けられている。
【０１０４】
横連結部２７ａは横方向の土留枠コンクリートボックス２１同士を連結するための例えば連結孔からなる。例えば連結孔からなる横連結部２７ａは、左右の両側壁面２３の下部側及び略垂直壁面２４の左右下部側に形成され、左右の各横連結部２７ａの連結孔に図示しない連結ボルトを挿入してボルトで締めることによって、横方向の土留枠コンクリートボックス２１同士を連結するようになっている。
【０１０５】
土留枠コンクリートボックス２１には、該土留枠コンクリートボックス２１を後方の地盤に例えばメッセンジャワイヤーで支持する場合もあるため、土留枠コンクリートボックス２１の左右の両側壁面２３の上部側には支持連結部２７ｂが必要に応じて設けられている。
【０１０６】
支持連結部２７ｂは各土留枠コンクリートボックス２１を後方の地盤に例えばメッセンジャワイヤーで支持する際にそのメッセンジャワイヤーを連結するための例えば連結孔からなる。例えば連結孔からなる支持連結部２７ｂは、左右の両側壁面２３の上部側の上下に水平向きの孔に形成され、左右の各支持連結部２７ｂの連結孔に例えばメッセンジャワイヤーの先端側を挿入してナットで締めることによって、各土留枠コンクリートボックス２１を後方の地盤に支持するようになっている。
【０１０７】
次に、上記発明の実施の形態の構成に基づく土留枠コンクリートボックスの設置作業について以下説明する。
土留箇所の基礎ｂの施工後、予め工場などで製作された土留枠コンクリートボックス２１を現地まで輸送し、クレーンなどを使用して土留箇所の基礎ｂの上に据え付ける。
【０１０８】
土留枠コンクリートボックス２１を据え付けた後、横方向に連接された別体の土留枠コンクリートボックス２１同士を連結する。この連結は土留枠コンクリートボックス２１の左右の側壁面２３側に形成された横連結部２７ａを利用して行う。また、必要に応じて、後方の地盤に例えばメッセンジャワイヤーなどを使って土留枠コンクリートボックス２１に支持する。
【０１０９】
さらに、土留枠コンクリートボックス２１を上下に重ねる場合には、上下の土留枠コンクリートボックス２１同士を連結する。この連結は土留枠コンクリートボックス２１の上下に形成された上下連結部２７を利用して行う。
【０１１０】
その後、土留枠コンクリートボックス２１の内部空間２１ａに、中詰め用の土石類２６を充填すると共に、開口窓部２５に連通する側には植生用の土２６ａを充填する。各開口窓部２５は上下の土砂押出防止傾斜梁２５ａによって斜め上向きに形成されているために、充填した土２６ａが土圧によって開口窓部２５から外側に押し出されるのが防止される。
【０１１１】
そして、土留枠コンクリートボックス２１の開口窓部２５に植物ａを植生する。開口窓部２５の内部には植生用の土２６ａが充填されているために、この土２６ａによって植物ａは生育することができ、これによって、土留箇所の法面の緑化が図られる。
【０１１２】
また、開口窓部２５の周囲の略垂直壁面２４の外側表面２４ｂは疑岩石模様に形成されているために、開口窓部２５で植生される植物はあたかも岩石の間から生えているように視認され、土留箇所の法面の緑化の美観が損なわれることがない。
【０１１３】
〔実施の形態−４〕
ここで、図１７は土留枠コンクリートボックスの斜視図、図１８は土留枠コンクリートボックスの後方側から見た斜視図、図１９は土留枠コンクリートボックスの断面図、図２０は土留枠コンクリートボックスの分解斜視図、図２１は土留枠コンクリートボックスを土留箇所に設置したときの斜視図、図２２は土留枠コンクリートボックスを土留箇所に設置したときの断面図である。
【０１１４】
図において、土留枠コンクリートボックス３１は、土砂崩れを生じやすい傾斜面などの土留箇所に設置して、土砂崩れを防ぐと共に、傾斜面の法面箇所の緑化を図り、しかも、工期を短縮することができる特徴を有している。
【０１１５】
土留枠コンクリートボックス３１は、上壁面３２、両側壁面３３、及び略垂直な法面側となる略垂直壁面３４をコンクリートで囲んで形成され、法面側となる略垂直壁面３４の外側表面３４ｂは疑岩石模様に形成されていると共に疑岩石模様の間に複数の開口窓部３５が形成された構造からなっており、工場で製作されて現場に搬送され、現場の土留箇所に設置される。工場で製作されるために、現場の土留箇所で構築される場合に比べて工期を短縮できる利点がある。
【０１１６】
土留枠コンクリートボックス３１は、上壁面３２、両側壁面３３、法面側となる略垂直壁面３４がコンクリートで形成され、上壁面３２、両側壁面３３及び略垂直壁面３４を形成するコンクリートの内部には例えば鉄筋が配筋されていて、鉄筋により補強されている。
【０１１７】
また、土留枠コンクリートボックス３１は、法面側となる略垂直壁面３４の反対側となる背面側３１ｂ及び底面側３１ｃは開口され、上壁面３２、両側壁面３３及び略垂直壁面３４の四面側で囲まれた内部は空間３１ａになっていて、内部空間３１ａには後記の中詰め用の土石類３６、植生用の土３６ａなどが充填される。
【０１１８】
土留枠コンクリートボックス３１の上部側を構成する上壁面３２は、平面から見て長方形の形状をしており、長方形の二つの長辺のうちその一辺側に法面側となる略垂直壁面３４に連なっており、又これと向かい合う他辺側は開口する背面側３１ｂに連なっている。上壁面３２の長方形の二つの両短辺側はそれぞれ側壁面３３に連なっている。上壁面３２には上部段差３２ａが形成され、上部段差３２ａの両側表面は水平面に形成されている。
【０１１９】
上部段差３２ａは上壁面３２の長手方向つまり両側壁面３３側に向けて形成され、又上部段差３２ａは略垂直壁面３４に連なる側が高く、背面側３１ｂに連なる側が低くなっている。上壁面３２の上部段差３２ａは、上壁面３２の上に別体の土留枠コンクリートボックス３１を重ねて設置する場合に、上側の土留枠コンクリートボックス３１の略垂直壁面３４の下面に形成された後記の下部段差３４ａと係合して、上側の土留枠コンクリートボックス３１が略垂直壁面３４側にずれるのを防ぐ機能を果たす。
【０１２０】
土留枠コンクリートボックス３１の両側部側を構成する両側壁面３３は、真向かいから見て、上壁面３２側に連なる上辺と開口する底面側３１ｃに連なる下辺が上下に略平行に形成され、法面側となる略垂直壁面３４に連なる一側辺が略垂直辺に形成され、開口する背面側３１ｂに連なる他側辺が下向きに傾斜拡幅する傾斜辺に形成されている。また、両側壁面３３の表面は略垂直面に形成されていて、両側に別体の土留枠コンクリートボックス３１を設置する場合に、略隙間なく設置できるようになっている。
【０１２１】
両側壁面３３の表面は、周縁に比べてその内側の厚みが小さく形成されていて、その厚みの小さい内側には、必要に応じて通水孔３３ａが適宜間隔で複数形成されていて、土留枠コンクリートボックス３１の内部の水はけが図られている。また、両側壁面３３に通水孔３３ａを形成するのに代えて、両側壁面３３が例えばポーラスコンクリートのような透水性コンクリートで形成されることもある。
【０１２２】
土留枠コンクリートボックス３１の正面部側を構成する略垂直壁面３４は、真向かいから見て、方形状の形状を有し、左右の各側壁面３３にそれぞれ連なる両側辺は垂直に形成され、又その表面が略垂直面に形成されている。この略垂直壁面３４は設置時には法面側となる。
【０１２３】
略垂直壁面３４の下端の下面には下部段差３４ａが形成されている。下部段差３４ａは略垂直壁面３４の長手方向つまり両側壁面３３側に向けて形成され、又下部段差３４ａは略垂直壁面３４の表面に連なる側が高く、略垂直壁面３４の内側つまり内部空間３１ａに連なる側が低くなっている。略垂直壁面３４の下面の下部段差３４ａは、下側の土留枠コンクリートボックス３１の上に更に土留枠コンクリートボックス３１を重ねて設置する場合に、下側の土留枠コンクリートボックス３１の上壁面３２に形成された上記上部段差３２ａと係合して、上側の土留枠コンクリートボックス３１が略垂直壁面３４側にずれるのを防ぐ機能を果たす。
【０１２４】
土留箇所設置時に法面側となる略垂直壁面３４の外側表面３４ｂは疑岩石模様に形成されている。この場合、略垂直壁面３４の外側表面３４ｂのコンクリート自体を疑岩石模様のデザイン仕上げに加工する場合と、疑岩石模様のデザイン仕上げに加工された表面疑岩石模様化粧コンクリート板３４ｃを略垂直壁面３４の箇所に取り付ける場合とがある。
【０１２５】
特に、土留枠コンクリートボックス３１が大型で重量が重たく、クレーンで容易に吊り上げることができない場合には、表面疑岩石模様化粧コンクリート板３４ｃは別体となり、別体の表面疑岩石模様化粧コンクリート板３４ｃを略垂直壁面３４の箇所に取り付ける構造になる。
【０１２６】
この場合には、表面疑岩石模様化粧コンクリート板３４ｃが取り付けられる略垂直壁面３４となる箇所の内部側には縦横に取付梁３４ｄが形成されていて、取付梁３４ｄにボルトナットなどの締結具を利用して表面疑岩石模様化粧コンクリート板３４ｃを取り付ける構造になっている。
【０１２７】
疑岩石模様の外側表面３４ｂ或いは表面疑岩石模様化粧コンクリート板３４ｃには、複数の開口窓部３５が形成されている。開口窓部３５を通じて傾斜壁面４の表面側は土留枠コンクリートボックス１の内部空間３１ａと連通する。開口窓部３５は例えば岩石同士の隙間にできる自然な穴のような形状をしており、上下左右に間隔をあけて複数形成されている。
【０１２８】
土留枠コンクリートボックス１の土留箇所設置時に法面側になる各開口窓部３５は、内部空間３１ａから外側の略垂直壁面３４の外側表面３４ｂ側に向けて斜め上向きに形成されていて、内部空間３１ａに充填する土石類３６や土３６ａが土圧によって各開口窓部３５から外側に押し出されるの防ぐ構造になっている。
【０１２９】
即ち、各開口窓部３５は、土砂が押し出される場合の出口となる外側表面３４ｂに位置する開口窓上端が土砂が押し出される場合の入口となる内部空間３１ａに位置する開口窓下端より高くなるように形成されている。
【０１３０】
外側に向かって斜め上向きに形成された開口窓部３５には、花、木、草などの植物ａが植生される。このため、開口窓部３５に連なる土留枠コンクリートボックス３１の内部空間３１ａには、植物ａが植生し易いような土３６ａが充填されている。また、内部空間３１ａには中詰め材として土石類３６が充填されている。土石類３６には、例えば客土、礫質土砂、自然石、砕石、栗石、割石、小石、土砂などが使用される。
【０１３１】
土留枠コンクリートボックス３１の開口する背面側３１ｂ、底面側３１ｃには、背面側３１ｂ及び底面側３１ｃが開口することによって土留枠コンクリートボックス３１の強度が低下するのを防ぐため及び転倒防止のために、補助連結横梁３１ｄが必要に応じて取り付けられる。
【０１３２】
補助連結横梁３１ｄは例えば開口する背面側３１ｂの下端側で且つ底面側３１ｃの後端側となる位置に横設されている。補助連結横梁３１ｄはその両端が左右の側面３３の背面側３１ｂと底面側３１ｃとの交点側にそれぞれ連結されて横設されている。補助連結横梁３１ｄには例えば内部に鉄筋が配筋されたコンクリートが使用されている。
【０１３３】
土留枠コンクリートボックス３１には、該土留枠コンクリートボックス３１同士を上下に重ねて設置されて使用される場合もあるため、土留枠コンクリートボックス３１の上端側と下端側には上下連結部３７が必要に応じて設けられている。
【０１３４】
上下連結部３７は上下の土留枠コンクリートボックス３１同士を連結するための例えば連結孔からなる。例えば連結孔からなる上下連結部３７は、上壁面３２の上部段差３２ａの低い側に長手方向に適当間隔をあけて複数形成され、又略垂直壁面３４の下面の下部段差３４ａの低い側に長手方向に適当間隔をあけて複数形成され、上下の各上下連結部３７の連結孔に図示しない連結ボルトを挿入してボルトで締めることによって、上下の土留枠コンクリートボックス３１同士を連結するようになっている。
【０１３５】
土留枠コンクリートボックス３１には、該土留枠コンクリートボックス３１同士を横方向に連接して設置されて使用される場合もあるため、土留枠コンクリートボックス３１の左右の両側壁面３３の下部側及び略垂直壁面３４の左右下部側には横連結部３７ａが必要に応じて設けられている。
【０１３６】
横連結部３７ａは横方向の土留枠コンクリートボックス３１同士を連結するための例えば連結孔からなる。例えば連結孔からなる横連結部３７ａは、左右の両側壁面３３の下部側及び略垂直壁面３４の左右下部側に形成され、左右の各横連結部３７ａの連結孔に図示しない連結ボルトを挿入してボルトで締めることによって、横方向の土留枠コンクリートボックス３１同士を連結するようになっている。
【０１３７】
土留枠コンクリートボックス３１には、該土留枠コンクリートボックス３１を後方の地盤に例えばメッセンジャワイヤーで支持する場合もあるため、土留枠コンクリートボックス３１の左右の両側壁面３３の上部側には支持連結部３７ｂが必要に応じて設けられている。
【０１３８】
支持連結部３７ｂは各土留枠コンクリートボックス３１を後方の地盤に例えばメッセンジャワイヤーで支持する際にそのメッセンジャワイヤーを連結するための例えば連結孔からなる。例えば連結孔からなる支持連結部３７ｂは、左右の両側壁面３３の上部側の上下に水平向きの孔に形成され、左右の各支持連結部３７ｂの連結孔に例えばメッセンジャワイヤーの先端側を挿入してナットで締めることによって、各土留枠コンクリートボックス３１を後方の地盤に支持するようになっている。
【０１３９】
次に、上記発明の実施の形態の構成に基づく土留枠コンクリートボックスの設置作業について以下説明する。
土留箇所の基礎ｂの施工後、予め工場などで製作された土留枠コンクリートボックス３１を現地まで輸送し、クレーンなどを使用して土留箇所の基礎ｂの上に据え付ける。
【０１４０】
土留枠コンクリートボックス３１を据え付けた後、横方向に連接された別体の土留枠コンクリートボックス３１同士を連結する。この連結は土留枠コンクリートボックス３１の左右の側壁面３３側に形成された横連結部３７ａを利用して行う。また、必要に応じて、後方の地盤に例えばメッセンジャワイヤーなどを使って土留枠コンクリートボックス３１に支持する。
【０１４１】
さらに、土留枠コンクリートボックス３１を上下に重ねる場合には、上下の土留枠コンクリートボックス３１同士を連結する。この連結は土留枠コンクリートボックス３１の上下に形成された上下連結部３７を利用して行う。
【０１４２】
この場合において、略垂直壁面３４が別体の表面疑岩石模様化粧コンクリート板３４ｃで構成されるときには、略垂直壁面３４の箇所に形成されている取付梁３４ｄの表面に表面疑岩石模様化粧コンクリート板３４ｃを取り付け、ボルトナットなどの締結具を用いて表面疑岩石模様化粧コンクリート板３４ｃを略垂直壁面３４の箇所に取り付ける。
【０１４３】
その後、土留枠コンクリートボックス３１の内部空間３１ａに、中詰め用の土石類３６を充填すると共に、開口窓部３５に連通する側には植生用の土３６ａを充填する。各開口窓部３５は斜め上向きに形成されているために、充填した土３６ａが土圧によって開口窓部３５から外側に押し出されるのが防止される。
【０１４４】
そして、土留枠コンクリートボックス３１の開口窓部３５に植物ａを植生する。開口窓部３５の内部には植生用の土３６ａが充填されているために、この土３６ａによって植物ａは生育することができ、これによって、土留箇所の法面の緑化が図られる。
【０１４５】
また、開口窓部３５の周囲の略垂直壁面３４の外側表面３４ｂは疑岩石模様に形成されているために、開口窓部３５で植生される植物はあたかも岩石の間から生えているように視認され、土留箇所の法面の緑化の美観が損なわれることがない。
【０１４６】
なお、この発明は上記発明の実施の形態に限定されるものではなく、この発明の精神を逸脱しない範囲で種々の改変をなし得ることは勿論である。例えば、この発明に係る土留枠コンクリートボックスは多自然型川造りにも使用可能である。
【０１４７】
【発明の効果】
以上の記載より明らかなように、この発明に係る土留枠コンクリートボックスによれば、工場で予め製作された土留枠コンクリートボックスを現地の土砂崩れを防止する土留箇所に設置するために、従来のように土留箇所にコンクリートを打設して構築する場合に比べて、工期を短縮して土砂崩れを起こしやすい法面の補強を図ることができる。
また、土留枠コンクリートボックスの法面の開口窓部に植生することによって土留箇所の緑化を図ることが可能となる。
また、土留枠コンクリートボックスの法面の開口窓部の周囲の傾斜壁面の外側表面は疑岩石模様に形成されている場合、開口窓部で植生される植物はあたかも岩石の間から生えているように視認され、土留箇所の法面の緑化の美観が損なわれることがない。
また、地盤の支持力が小さい所、又基礎の不等沈下の恐れのある所に対応できる。土留枠として土圧に対して対処する方法としてはコンクリートボックスの躯体重量を増す。又底部の控え桁を長くしてコンクリートボックスの底部を広くする。工事の連続施工が可能で、又継ぎ手金具も使用可能で連結によりスクラム効果が期待できる等、極めて新規的有益なる効果を奏するものである。
【図面の簡単な説明】
【図１】この発明の実施の形態−１を示す土留枠コンクリートボックスの斜視図である。
【図２】この発明の実施の形態−１を示す土留枠コンクリートボックスの後方側から見た斜視図である。
【図３】この発明の実施の形態−１を示す土留枠コンクリートボックスの断面図である。
【図４】この発明の実施の形態−１を示す土留枠コンクリートボックスを土留箇所に設置したときの斜視図である。
【図５】この発明の実施の形態−１を示す土留枠コンクリートボックスを土留箇所に設置したときの断面図である。
【図６】この発明の実施の形態−２を示す土留枠コンクリートボックスの斜視図である。
【図７】この発明の実施の形態−２を示す土留枠コンクリートボックスの後方側から見た斜視図である。
【図８】この発明の実施の形態−２を示す土留枠コンクリートボックスの断面図である。
【図９】この発明の実施の形態−２を示す土留枠コンクリートボックスの分解斜視図である。
【図１０】この発明の実施の形態−２を示す土留枠コンクリートボックスを土留箇所に設置したときの斜視図である。
【図１１】この発明の実施の形態−２を示す土留枠コンクリートボックスを土留箇所に設置したときの断面図である。
【図１２】この発明の実施の形態−３を示す土留枠コンクリートボックスの斜視図である。
【図１３】この発明の実施の形態−３を示す土留枠コンクリートボックスの後方側から見た斜視図である。
【図１４】この発明の実施の形態−３を示す土留枠コンクリートボックスの断面図である。
【図１５】この発明の実施の形態−３を示す土留枠コンクリートボックスを土留箇所に設置したときの斜視図である。
【図１６】この発明の実施の形態−３を示す土留枠コンクリートボックスを土留箇所に設置したときの断面図である。
【図１７】この発明の実施の形態−４を示す土留枠コンクリートボックスの斜視図である。
【図１８】この発明の実施の形態−４を示す土留枠コンクリートボックスの後方側から見た斜視図である。
【図１９】この発明の実施の形態−４を示す土留枠コンクリートボックスの断面図である。
【図２０】この発明の実施の形態−４を示す土留枠コンクリートボックスの分解斜視図である。
【図２１】この発明の実施の形態−４を示す土留枠コンクリートボックスを土留箇所に設置したときの斜視図である。
【図２２】この発明の実施の形態−４を示す土留枠コンクリートボックスを土留箇所に設置したときの断面図である。
【符号の説明】
１　　土留枠コンクリートボックス
１ａ　内部空間
１ｂ　背面側
１ｃ　底面側
１ｄ　補助連結横梁
１ｅ　中間縦梁
２　　上壁面
２ａ　上部段差
３　　側壁面
３ａ　通水孔
４　　傾斜壁面
４ａ　下部段差
４ｂ　外側表面
５　　開口窓部
５ａ　土砂押出防止傾斜梁
６　　土石類
６ａ　土
７　　上下連結部
７ａ　横連結部
７ｂ　支持連結部
１１　　土留枠コンクリートボックス
１１ａ　内部空間
１１ｂ　背面側
１１ｃ　底面側
１１ｄ　補助連結横梁
１２　　上壁面
１２ａ　上部段差
１３　　側壁面
１３ａ　通水孔
１４　　傾斜壁面
１４ａ　下部段差
１４ｂ　外側表面
１４ｃ　表面疑岩石模様化粧コンクリート板
１４ｄ　取付梁
１５　　開口窓部
１６　　土石類
１６ａ　土
１７　　上下連結部
１７ａ　横連結部
１７ｂ　支持連結部
２１　　土留枠コンクリートボックス
２１ａ　内部空間
２１ｂ　背面側
２１ｃ　底面側
２１ｄ　補助連結横梁
２１ｅ　中間縦梁
２２　　上壁面
２２ａ　上部段差
２３　　側壁面
２３ａ　通水孔
２４　　傾斜壁面
２４ａ　下部段差
２４ｂ　外側表面
２５　　開口窓部
２５ａ　土砂押出防止傾斜梁
２６　　土石類
２６ａ　土
２７　　上下連結部
２７ａ　横連結部
２７ｂ　支持連結部
３１　　土留枠コンクリートボックス
３１ａ　内部空間
３１ｂ　背面側
３１ｃ　底面側
３１ｄ　補助連結横梁
３２　　上壁面
３２ａ　上部段差
３３　　側壁面
３３ａ　通水孔
３４　　傾斜壁面
３４ａ　下部段差
３４ｂ　外側表面
３４ｃ　表面疑岩石模様化粧コンクリート板
３４ｄ　取付梁
３５　　開口窓部
３６　　土石類
３６ａ　土
３７　　上下連結部
３７ａ　横連結部
３７ｂ　支持連結部
ａ　　植物
ｂ　　基礎
【図１】
2004036105.tif 000003
【図２】
2004036105.tif 000004
【図３】
2004036105.tif 000005
【図４】
2004036105.tif 000006
【図５】
2004036105.tif 000007
【図６】
2004036105.tif 000008
【図７】
2004036105.tif 000009
【図８】
2004036105.tif 000010
【図９】
2004036105.tif 000011
【図１０】
2004036105.tif 000012
【図１１】
2004036105.tif 000013
【図１２】
2004036105.tif 000014
【図１３】
2004036105.tif 000015
【図１４】
2004036105.tif 000016
【図１５】
2004036105.tif 000017
【図１６】
2004036105.tif 000018
【図１７】
2004036105.tif 000019
【図１８】
2004036105.tif 000020
【図１９】
2004036105.tif 000021
【図２０】
2004036105.tif 000022
【図２１】
2004036105.tif 000023
【図２２】
2004036105.tif 000024